(57)【要約】【課題】光回線装置（以下、ＯＬＴ）が、所望の光ネットワーク装置（以下、ＯＮＵ）に対する光通信路切替装置（以下、ＯＳＷ）に、制御フレームを用いて、光スイッチの入出力ポートの切替時刻を通知する技術を用いたシステムの起動手順を提供する。【解決手段】ネットワークと接続されるＯＬＴ、各々がユーザ端末と接続される複数のＯＮＵ、及びＯＬＴとＯＮＵとの間に設置され、ＯＬＴと複数のＯＮＵとの間の光通信路を切り替えるＯＳＷを備える光アクセスシステムにおいて、ＯＬＴは、ＯＳＷを発見するための第一の制御信号をＯＳＷに送信し、その後ＯＳＷは、ＯＳＷの登録を要求するための第二の制御信号をＯＬＴに送信し、その後ＯＬＴは、ＯＳＷを登録するための情報を含む第三の制御信号をＯＳＷに送信し、ＯＳＷは、ＯＬＴによって指定された時刻に第三の制御信号の受信したことを示す第四の制御信号を、ＯＬＴに送信する。【選択図】図２
2010199969.tif 000002
【特許請求の範囲】
【請求項１】
他のネットワークと接続される光回線装置、各々がユーザ端末と接続される複数の光ネットワーク装置、及び、前記光回線装置と前記光ネットワーク装置との間に設置され、前記光回線装置と前記複数の光ネットワーク装置との間の光通信路を切り替える光通信路切替装置を備える光アクセスシステムにおいて、
前記光回線装置は、前記光通信路切替装置を発見するための第一の制御信号を、前記光通信路切替装置に送信し、
前記通信路切替装置は、前記第一の制御信号を受信した後、前記光通信路切替装置の登録を要求するための第二の制御信号を、前記光回線装置に送信し、
前記光回線装置は、前記第二の制御信号を受信した後、前記光通信路切替装置を登録するための情報を含む第三の制御信号を、前記光通信路切替装置に送信し、
前記光通信路切替装置は、前記光回線装置によって指定された時刻に、前記第三の制御信号を受信したことを示す第四の制御信号を、前記光回線装置に送信することを特徴とする光アクセスシステム。
【請求項２】
前記第二の制御信号は、前記光通信路切替装置が前記光回線装置と前記複数の光ネットワーク装置との間の光通信路を切り替えるために必要な時間と、前記光通信路切替装置に備わるスイッチのポート数の情報とを含むことを特徴とする請求項１に記載の光アクセスシステム。
【請求項３】
前記光通信路切替装置が前記光回線装置に登録された後、前記光通信路切替装置は、前記光回線装置と前記光ネットワーク装置との間の光通信路を接続するように切り替え、
その後、前記光回線装置は、前記光ネットワーク装置を発見するための第五の制御信号を、前記光ネットワーク装置に送信し、
前記光ネットワーク装置は、前記第五の制御信号を受信した後、前記光ネットワーク装置の登録を要求するための第六の制御信号を、前記光回線装置に送信し、
前記光回線装置は、前記第六の制御信号を受信した後、登録された前記光ネットワーク装置の情報を含む第七の制御信号を、前記光ネットワーク装置に送信し、
前記光ネットワーク装置は、前記光回線装置によって指定された時刻に、前記第七の制御信号を受信したことを示す第八の制御信号を、前記光回線装置に送信することを特徴とする請求項１に記載の光アクセスシステム。
【請求項４】
他のネットワークと接続される光回線装置、各々がユーザ端末と接続される複数の光ネットワーク装置、及び、前記光回線装置と前記光ネットワーク装置との間に設置され、前記光回線装置と前記複数の光ネットワーク装置との間の光通信路を切り替える光通信路切替装置を備える光アクセスシステムにおいて、
前記光通信路切替装置は、前記光通信路切替装置の登録処理を開始するための第一の制御信号を、前記光回線装置に送信し、
前記光回線装置は、前記第一の制御信号を受信した後、前記光通信路切替装置を発見するための第二の制御信号を、前記光通信路切替装置に送信し、
前記光通信路切替装置は、前記第二の制御信号を受信した後、前記光通信路切替装置の登録を要求するための第三の制御信号を、前記光回線装置に送信し、
前記光回線装置は、前記第三の制御信号を受信した後、前記光通信路切替装置を登録するための情報を含む第四の制御信号を、前記光通信路切替装置に送信し、
前記光通信路切替装置は、前記光回線装置によって指定された時刻に、前記第四の制御信号を受信したことを示す第五の制御信号を前記光回線装置に送信することを特徴とする光アクセスシステム。
【請求項５】
前記第三の制御信号は、前記光通信路切替装置が前記光回線装置と前記複数の光ネットワーク装置との間の光通信路を切り替えるために必要な時間と、前記光通信路切替装置に備わるスイッチのポート数の情報とを含むことを特徴とする請求項４に記載の光アクセスシステム。
【請求項６】
前記光通信路切替装置が前記光回線装置に登録された後、前記光通信路切替装置は、前記光回線装置と前記光ネットワーク装置との間の光通信路を接続するように切り替え、
その後、前記光回線装置は、前記光ネットワーク装置を発見するための第六の制御信号を、前記光ネットワーク装置に送信し、
前記光ネットワーク装置は、前記第六の制御信号を受信した後、前記光ネットワーク装置の登録を要求する第七の制御信号を、前記光回線装置に送信し、
前記光回線装置は、前記第七の制御信号を受信した後、前記光ネットワーク装置についを登録するための情報を含む第八の制御信号を、前記光回線装置に送信し、
前記光ネットワーク装置は、前記光回線装置によって指定された時刻に、前記第八の制御信号を受信したことを示す第九の制御信号を、前記光回線装置に送信することを特徴とする請求項４に記載の光アクセスシステム。
【請求項７】
他のネットワークと接続される光回線装置と、各々がユーザ端末と接続される複数の光ネットワーク装置との間に設置され、前記光回線装置と前記複数の光ネットワーク装置との間の光通信路を切り替える光通信路切替装置において、
前記光通信路切替装置を発見するための第一の制御信号を、前記光回線装置から受信し、
前記第一の制御信号を受信した後、前記光通信路切替装置の登録を要求するための第二の制御信号を、前記光回線装置に送信し、
前記第二の制御信号を送信した後、前記光通信路切替装置を登録するための情報を含む第三の制御信号を、前記光回線装置から受信し、
前記光回線装置によって指定された時刻に、前記第三の制御信号を受信したことを示す第四の制御信号を、前記光回線装置に送信することを特徴とする光通信路切替装置。
【請求項８】
前記第二の制御信号は、前記光通信路切替装置が前記光回線装置と前記複数の光ネットワーク装置との間の光通信路を切り替えるために必要な時間と、前記光通信路切替装置に備わるスイッチのポート数の情報とを含むことを特徴とする請求項７に記載の光通信路切替装置。
【請求項９】
他のネットワークと接続される光回線装置と、各々がユーザ端末と接続される複数の光ネットワーク装置との間に設置され、前記光回線装置と前記複数の光ネットワーク装置との間の光通信路を切り替える光通信路切替装置において、
前記光通信路切替装置の登録処理を開始するための第一の制御信号を、前記光回線装置に送信し、
前記第一の制御信号を送信した後、前記光通信路切替装置を発見するための第二の制御信号を、前記光回線装置から受信し、
前記第二の制御信号を受信した後、前記光通信路切替装置の登録を要求するための第三の制御信号を、前記光回線装置に送信し、
前記第三の制御信号を送信した後、前記光通信路切替装置を登録するための情報を第四の制御信号を、前記光回線装置から受信し、
前記光回線装置によって指定された時刻に、前記第四の制御信号を受信したことを示す第五の制御信号を、前記光回線装置に送信することを特徴とする光通信路切替装置。
【請求項１０】
前記第三の制御信号は、前記光通信路切替装置が前記光回線装置と前記複数の光ネットワーク装置との間の光通信路を切り替えるために必要な時間と、前記光通信路切替装置に備わるスイッチのポート数の情報とを含むことを特徴とする請求項９に記載の光通信路切替装置。
【請求項１１】
複数の光ネットワーク装置と光通信路切替装置を介して接続され、他のネットワークと接続される光回線装置において、
各前記複数の光ネットワーク装置は、ユーザ端末と接続され、
前記光通信路切替装置は、前記光回線装置と前記複数の光ネットワーク装置との間の光通信路を切り替え、
前記光回線装置は、
前記光通信路切替装置を発見するための第一の制御信号を、前記光通信路切替装置に送信し、
第一の制御信号を送信した後に、前記光通信路切替装置の登録を要求するための第二の制御信号を、前記光通信路切替装置から受信し、
第二の制御信号を受信した後に、前記光通信路切替装置を登録するための情報を含む第三の制御信号を、前記光通信路切替装置に送信し、
前記光回線装置によって指定された時刻に、前記光通信路切替装置が送信した、前記第三の制御信号を受信したことを示す第四の制御信号の受信を確認することを特徴とする光回線装置。
【請求項１２】
前記第二の制御信号は、前記光通信路切替装置が前記光回線装置と前記複数の光ネットワーク装置との間の光通信路を切り替えるために必要な時間と、前記光通信路切替装置に備わるスイッチのポート数の情報とを含むことを特徴とする請求項１１に記載の光回線装置。
【請求項１３】
前記第一の制御信号の前記光回線装置による送信時刻、前記第一の制御信号の前記光通信路切替装置による受信時刻、前記第二の制御信号の前記光通信路切替装置による送信時刻、及び、前記第二の制御信号の前記光回線装置による受信時刻に基づいて、前記光回線装置と前記光通信路切替装置との間の信号伝搬の第一の遅延時間を測定することを特徴とする請求項１１に記載の光回線装置。
【請求項１４】
前記光通信路切替装置に接続される前記光通信路切替装置のスイッチのポートと、前記光通信路切替装置の識別子と、前記測定された第一の遅延時間とを対応させて保持することを特徴とする請求項１３に記載の光回線装置。
【請求項１５】
前記光通信路切替装置が前記光回線装置に登録された後、前記光通信路切替装置に、前記光回線装置と前記光ネットワーク装置との間の光通信路を接続するように切り替えさせ
その後、前記光ネットワーク装置を発見するための第五の制御信号を、前記光ネットワーク装置に送信し、
前記第五の制御信号を受信した後、前記光ネットワーク装置の登録を要求するための第六の制御信号を、前記光ネットワーク装置から受信し、
前記第六の制御信号を受信した後、前記光ネットワーク装置を登録するための情報を含む第七の制御信号を、前記光ネットワーク装置に送信することを特徴とする請求項１４に記載の光回線装置。
【請求項１６】
前記第五の制御信号の前記光回線装置による送信時刻、前記第五の制御信号の前記光ネットワーク装置による受信時刻、前記第六の制御信号の前記光ネットワーク装置による送信時刻、及び、前記第六の制御信号の前記光回線装置による受信時刻に基づいて、前記光回線装置と前記光ネットワーク装置との間の信号伝搬の第二の遅延時間を測定することを特徴とする請求項１５に記載の光回線装置。
【請求項１７】
前記光ネットワーク装置に接続される前記光通信路切替装置のスイッチのポートと、前記光ネットワーク装置の識別子と、前記測定された第二の遅延時間とを対応させて保持することを特徴とする請求項１６に記載の光回線装置。
【請求項１８】
前記第一の遅延時間と前記第二の遅延時間とに基づいて、前記光通信路切替装置と前記光ネットワーク装置との間の信号伝搬の遅延時間を算出することを特徴とする請求項１７に記載の光回線装置。
【発明の詳細な説明】
【技術分野】
【０００１】
本発明は、光アクセスシステムに関し、特に、光スイッチを利用して光通信路を切り替える光アクセスシステムにおける光通信路の切替を制御する技術に関する。
【背景技術】
【０００２】
高速インターネットアクセスを可能にする技術として、ＰＯＮ（Ｐａｓｓｉｖｅ  Ｏｐｔｉｃａｌ  Ｎｅｔｗｏｒｋ）による光アクセスが普及している。ＰＯＮには、ＥＰＯＮ（Ｅｔｈｅｒｎｅｔ  Ｐａｓｓｉｖｅ  Ｏｐｔｉｃａｌ  Ｎｅｔｗｏｒｋ）（Ｅｔｈｅｒｎｅｔは登録商標）がある（例えば、非特許文献１参照）。
【０００３】
ＰＯＮを用いるシステムは、通信事業者の局側で光ファイバを終端する光回線装置（ＯＬＴ：Ｏｐｔｉｃａｌ  Ｌｉｎｅ  Ｔｅｒｍｉｎａｌ）と、端末側で光ファイバを終端する光ネットワーク装置（ＯＮＵ：Ｏｐｔｉｃａｌ  Ｎｅｔｗｏｒｋ  Ｕｎｉｔ）と、ＯＬＴから引かれた光ファイバを複数のＯＮＵに分岐するスプリッタとによって構成される。
【０００４】
従来のＰＯＮにおけるスプリッタは受動素子であるため、安価にネットワークを構築することができる。しかし、ＯＬＴから送信された信号は、スプリッタにおいて全てのＯＮＵに分岐されるため、本来の通信相手ではないＯＮＵにも到達する。このため、ＰＯＮを用いるシステムを用いた場合、必ずしも十分な通信の秘匿性が得られるとは限らない。また、スプリッタにおいて信号が分岐する際、信号の強度が低下するため、ＰＯＮを用いるシステムは、スプリッタ数の増加に従って通信できる距離が短くなる。
【０００５】
これらのＰＯＮの問題点を解決する手法として、ＰＯＮにおけるスプリッタの代わりに、能動素子である光スイッチを用いるネットワークが提案されている（例えば、特許文献１、２、非特許文献２、３参照）。
【先行技術文献】
【特許文献】
【０００６】
【特許文献１】特開２００６−２４６２６２号公報
【特許文献２】特開２００７−０６７９４８号公報
【非特許文献】
【０００７】
【非特許文献１】ＩＥＥＥ  Ｓｔｄ  ８０２．３ＴＭ−２００５
【非特許文献２】ＩＥＩＣＥ  ＴＲＡＮＳ．ＣＯＭＭＵＮ．、ＶＯＬ．Ｅ８９−Ｂ、ＮＯ．３  ｐｐ．７２４−７３０
【非特許文献３】ＩＥＩＣＥ  ＴＲＡＮＳ．ＣＯＭＭＵＮ．、ＶＯＬ．Ｅ８９−Ｂ、ＮＯ．１１  ｐｐ．３０２１−３０３１
【非特許文献４】２００８年電子情報通信学会通信ソサイエティ大会、Ｂ−８−１４
【発明の概要】
【発明が解決しようとする課題】
【０００８】
前述した特許文献１、２、非特許文献２、３に記載された技術には、光信号の送信先となる所望のＯＮＵへの入出力ポートを切り替える装置において、ＯＬＴによって送信された光信号は、光スイッチと光信号のフレームを読む回路とに分岐される。ＯＬＴから送信される光信号がＥＰＯＮフレームである場合、光信号のフレームを読む回路は、光信号に用いられるＥＰＯＮフレームのプリアンブル部分に設定されている論理識別子（Ｌｏｇｉｃａｌ  Ｌｉｎｋ  Ｉｄｅｎｔｉｆｉｅｒ、ＬＬＩＤ）によって、いずれのＯＮＵに送信すべきかを判定し、光スイッチの出力ポートを、ＬＬＩＤに従って切り替えさせる。
【０００９】
この従来の技術は、光信号のフレームを読む回路における所望のＯＮＵをＬＬＩＤに基づいて判定する処理の時間分だけ、光スイッチへの光信号の到達を遅延させるため、光スイッチとＯＬＴとの間に遅延回路が設けられる（例えば、非特許文献３参照）。遅延回路が光ファイバによって構成された場合、光ファイバの長さは、４２．４ｍである。
【００１０】
また、ＯＮＵがＯＬＴにＭＰＣＰ（Ｍｕｌｔｉｐｏｉｎｔ  Ｃｏｎｔｒｏｌ  Ｐｒｏｔｏｃｏｌ）を用いたＲＥＰＯＲＴメッセージを送信する場合、ＲＥＰＯＲＴメッセージは、ＯＮＵへの入出力ポートを切り替える装置において抽出される（例えば、特許文献２参照）。このため、ＯＮＵへの入出力ポートを切り替える装置においては、上り通信、すなわち、ＯＮＵからＯＬＴへの方向の通信において、光信号を電気信号に変換する機能（Ｏ／Ｅ変換器）が必要となる。
【００１１】
前述のように、従来技術において、ＯＮＵへの入出力ポートを切り替える装置は、光ファイバによる遅延回路及び上り通信用のＯ／Ｅ変換器を設ける必要があり、ＯＮＵへの入出力ポートを切り替える装置の小型化を妨げる。
【００１２】
本発明の第一の目的は、ＯＮＵへの入出力ポートを切り替える装置の小型化である。
【００１３】
また、従来の技術において、ＯＬＴは、ＯＮＵへの入出力ポートを切り替える装置に対して、制御フレームを用いて、光スイッチが入出力ポートを切り替える時刻を通知する（例えば、非特許文献４参照）。非特許文献４において、光スイッチの切り替え時刻は、ＯＮＵへの入出力ポートを切り替える装置が制御フレームを処理する時間、及び光スイッチが入出力ポートを切り替える処理の時間を用いて、算出される。非特許文献４の技術を実現するためには、システムの起動時に、ＯＬＴはこれらの処理時間を取得する必要がある。
【００１４】
本発明の第二の目的は、ＯＬＴが、ＯＮＵへの入出力ポートを切り替える装置に対して、制御フレームを用いて、光スイッチが入出力ポートを切り替える時刻を通知する技術を用いる光アクセスシステムにおける、システムの起動手順を提供することにある。
【課題を解決するための手段】
【００１５】
本発明の代表的な一例を示せば以下の通りである。すなわち、他のネットワークと接続される光回線装置、各々がユーザ端末と接続される複数の光ネットワーク装置、及び、前記光回線装置と前記光ネットワーク装置との間に設置され、前記光回線装置と前記複数の光ネットワーク装置との間の光通信路を切り替える光通信路切替装置を備える光アクセスシステムにおいて、前記光回線装置は、前記光通信路切替装置を発見するための第一の制御信号を、前記光通信路切替装置に送信し、前記通信路切替装置は、前記第一の制御信号を受信した後、前記光通信路切替装置の登録を要求するための第二の制御信号を、前記光回線装置に送信し、前記光回線装置は、前記第二の制御信号を受信した後、前記光通信路切替装置を登録するための情報を含む第三の制御信号を、前記光通信路切替装置に送信し、前記光通信路切替装置は、前記光回線装置によって指定された時刻に、前記第三の制御信号の受信したことを示す第四の制御信号を、前記光回線装置に送信する。
【発明の効果】
【００１６】
本発明によれば、光通信路切替装置において上り通信用のＯ／Ｅ変換器が不要となる。したがって、光通信路切替装置を小型化できる。
【図面の簡単な説明】
【００１７】
【図１】本発明の第１の実施形態のネットワークの構成例を示すブロック図である。
【図２】本発明の第１の実施形態のＯＳＷの構成例を示すブロック図である。
【図３Ａ】本発明の第１の実施形態の下り光スイッチエレメントの構成を示すブロック図である。
【図３Ｂ】本発明の第１の実施形態の上り光スイッチエレメントの構成を示すブロック図である。
【図４Ａ】本発明の第１の実施形態の下り分岐用光スイッチの構成を示すブロック図である。
【図４Ｂ】本発明の第１の実施形態の上り分岐用光スイッチの構成を示すブロック図である。
【図５】本発明の第１の実施形態のＯＬＴの構成を示すブロック図である。
【図６】本発明の第１の実施形態のＥＰＯＮのフレームのフォーマットを示す説明図である。
【図７】本発明の第１の実施形態のＭＰＣＰＤＵのフォーマットを示す説明図である。
【図８】本発明の第１の実施形態の光スイッチ切替制御フレームのフォーマットを示す説明図である。
【図９】本発明の第１の実施形態のＲｅｇｉｓｔｅｒ  Ｒｅｑｕｅｓｔメッセージのフォーマットを示す説明図である。
【図１０】本発明の第１の実施形態の光スイッチエレメントのスイッチポート番号とＬＬＩＤとの対応関係が設定されたテーブルを示す説明図である。
【図１１】本発明の第１の実施形態のＯＳＷの初期登録の手順を示すシーケンス図である。
【図１２】本発明の第１の実施形態のＯＬＴにおけるＯＳＷの初期登録の手順を示すフローチャートである。
【図１３】本発明の第１の実施形態のＯＳＷにおけるＯＳＷの初期登録の手順を示すフローチャートである。
【図１４】本発明の第１の実施形態のＯＮＵの初期登録の手順を示すシーケンス図である。
【図１５】本発明の第１の実施形態のＯＮＵの初期登録の手順を示すフローチャートである。
【図１６】本発明の第２の実施形態のＯＳＷの初期登録のＯＬＴとＯＳＷとの間の処理を示すシーケンス図である。
【図１７】本発明の第２の実施形態のＯＳＷにおけるＯＳＷの初期登録の手順を示すフローチャートである。
【図１８】本発明の第２の実施形態のＯＬＴにおけるＯＳＷの初期登録の手順を示すフローチャートである。
【発明を実施するための形態】
【００１８】
以下、本発明の第１の実施形態について、図面を参照して説明する。
【００１９】
図１は、本発明の第１の実施形態のネットワークの構成例を示すブロック図である。
【００２０】
光アクセスシステム５０は、光回線装置（ＯＬＴ）１、光通信路切替装置（ＯＳＷ）２、及び光ネットワーク装置（ＯＮＵ）３を備える。ＯＮＵ３は、ユーザが用いる端末数に従って複数備わる。ＯＮＵは、複数を区別せず全体を示す場合はＯＮＵ３と表記し、それぞれ区別する場合はＯＮＵ３−１〜ＯＮＵ３−ｎと表記する。
【００２１】
ＯＮＵ３には複数のユーザ端末４（４−１〜４−ｎ）が接続される。ユーザ端末４は、光アクセスシステム５０、ゲートウェイ（ＧＷ）５３を経由して、コア網５５と通信する。
【００２２】
図２は、本発明の第１の実施形態のＯＳＷ２の構成例を示すブロック図である。
【００２３】
ＯＳＷ２は、合波・分波部（ＷＤＭ）２１０−１〜２１０−ｎ、下り光スイッチエレメント２１１、上り光スイッチエレメント２１２、下りスイッチドライバ２１３、上りスイッチドライバ２１４、スイッチ制御回路２１５、光−電気信号変換部（Ｏ／Ｅ変換器）２１６、電気−光信号変換部（Ｅ／Ｏ変換器）２１７、下り分岐用光スイッチ２１８、上り分岐用光スイッチ２１９、及び合波・分波部（ＷＤＭ）２２０を備える。
【００２４】
合波・分波部（ＷＤＭ）２１０−１〜２１０−ｎは、各々、ＯＳＷ２とＯＮＵ３−１〜３−ｎとの間で波長多重される上り光信号と下り光信号とを分離し、多重する。
【００２５】
下り光スイッチエレメント２１１は、ＯＬＴ１からＯＮＵ３−１〜３−ｎに伝送される信号の光通信路を切り替えるためのスイッチである。
【００２６】
図３Ａは、本発明の第１の実施形態の下り光スイッチエレメント２１１の構成を示すブロック図である。下り光スイッチエレメント２１１は、ＯＬＴ１からＯＮＵ３へ送信される信号の光スイッチエレメントであり、下り分岐用光スイッチ２１８と接続する入力ポート２１１１、及び合波・分波部（ＷＤＭ）２１０−１〜２１０−ｎと接続する出力ポート２１１２−１〜２１１２−ｎを備える。なお、出力ポート２１１２−１〜２１１２−ｎ全体を示す場合、出力ポート２１１２と表記する。
【００２７】
下り光スイッチエレメント２１１は、下りスイッチドライバ２１３からの駆動信号によって、入力ポート２１１１と任意の出力ポート２１１２−１〜２１１２−ｎとの間が導通するように、下り信号の通信路を切り替える。
【００２８】
また、上り光スイッチエレメント２１２は、ＯＮＵ３−１〜３−ｎからＯＬＴ１へ伝送される信号の光通信路を切り替えるためのスイッチである。
【００２９】
図３Ｂは、本発明の第１の実施形態の上り光スイッチエレメント２１２の構成を示すブロック図である。
【００３０】
上り光スイッチエレメント２１２は、ＯＮＵ３からＯＬＴ１へ送信される信号の光スイッチエレメントであり、上り分岐用光スイッチ２１９と接続する出力ポート２１２１、及び合波・分波部（ＷＤＭ）２１０−１〜２１０−ｎと接続する入力ポート２１２２−１〜２１２２−ｎを備える。なお、入力ポート２１２２−１〜２１２２−ｎ全体を示す場合、入力ポート２１２２と表記する。
【００３１】
上り光スイッチエレメント２１２は、上りスイッチドライバ２１４からの駆動信号によって、任意の入力ポート２１２２−１〜２１２２−ｎと出力ポート２１２１との間が導通するように、上り信号の通信路を切り替える。
【００３２】
なお、下り光スイッチエレメント２１１、及び上り光スイッチエレメント２１２について、両者を示す場合、光スイッチエレメントと表記する。
【００３３】
下り分岐用光スイッチ２１８は、ＯＬＴ１から送信される光信号の送信先がＯＮＵ３−１〜３−ｎである場合、光信号の経路を下り光スイッチエレメント２１１に向けて切り替えられ、ＯＬＴ１から送信される光信号の送信先がＯＳＷ２である場合、光信号の経路を、スイッチ制御回路２１５に向けて切り替える。
【００３４】
上り分岐用光スイッチ２１９は、ＯＬＴ１に送信される光信号の送信元がＯＮＵ３−１〜３−ｎである場合、光信号の経路を上り光スイッチエレメント２１２に向けて切り替えられ、ＯＬＴ１に送信される光信号の送信元がスイッチ制御回路２１５である場合、光信号の経路を、スイッチ制御回路２１５に向けて切り替える。
【００３５】
下りスイッチドライバ２１３は、下り光スイッチエレメント２１１、及び下り分岐用光スイッチ２１８を駆動する回路である。上りスイッチドライバ２１４は、上り光スイッチエレメント２１２、及び上り分岐用光スイッチ２１９を駆動する回路である。
【００３６】
光−電気信号変換部（Ｏ／Ｅ変換部）２１６は、光信号を電気信号に変換する。電気−光信号変換部（Ｅ／Ｏ変換部）２１７は、電気信号を光信号に変換する。
【００３７】
合波・分波部（ＷＤＭ）２２３は、ＯＳＷ２とＯＬＴ１との間で波長多重される上り光信号と下り光信号とを分離し、多重する。
【００３８】
スイッチ制御回路２１５は、ＯＬＴ１から受信するスイッチ切替制御フレーム（後述）によって、下り光スイッチエレメント２１１、上り光スイッチエレメント２１２、下り分岐用光スイッチ２１８、及び上り分岐用光スイッチ２１９の切り替えを制御する。
【００３９】
下り光スイッチエレメント２１１、上り光スイッチエレメント２１２、下り分岐用光スイッチ２１８、及び上り分岐用光スイッチ２１９を切り替える時刻は、ＯＬＴ１が算出し、図７に示すフォーマットの光スイッチ切替制御フレームを用いて、ＯＳＷ２に通知する。
【００４０】
図４Ａは、本発明の第１の実施形態の下り分岐用光スイッチ２１８の構成を示すブロック図である。
【００４１】
下り分岐用光スイッチ２１８は、入力ポート２１８１、及び出力ポート２１８２−１、２１８２−２を備える。下り分岐用光スイッチ２１８は、１入力２出力のスイッチである。入力ポート２１８１は、合波・分波部（ＷＤＭ）２２０と接続する。出力ポート２１８２−１は、下り光スイッチエレメント２１１と接続する。出力ポート２１８２−２は、電気−光信号変換部２１６と接続する。
【００４２】
図４Ｂは、本発明の第１の実施形態の上り分岐用光スイッチ２１９の構成を示すブロック図である。
【００４３】
上り分岐用光スイッチ２１９は、出力ポート２１９１、入力ポート２１９２−１、及び２１９２−２を備える。上り分岐用光スイッチ２１９は、２入力１出力のスイッチである。出力ポート２１９１は、合波・分波部（ＷＤＭ）２２０と接続する。入力ポート２１９２−１は、光−電気信号変換部２１７と接続する。入力ポート２１８２−２は、上り光スイッチエレメント２１２と接続する。
【００４４】
図５は、本発明の第１の実施形態のＯＬＴ１の構成を示すブロック図である。
【００４５】
ＯＬＴ１は、合波・分波部（ＷＤＭ）１０１、電気−光信号変換部（Ｅ／Ｏ変換器）１０２、光−電気信号変換部（Ｏ／Ｅ変換器）１０３、下りフレーム処理部１０４、上りフレーム処理部１０５、プロトコル制御部１０６、及びゲートウェイインタフェース（ＧＷ  ＩＦ）１１０を備える。
【００４６】
合波・分波部（ＷＤＭ）１０１は、ＯＬＴ１とＯＳＷ２との間で波長多重される上り光信号と下り光信号とを分離し、多重する。
【００４７】
電気−光信号変換部（Ｅ／Ｏ変換部）１０２は、電気信号を光信号に変換する。光−電気信号変換部（Ｏ／Ｅ変換部）１０３は、光信号を電気信号に変換する。
【００４８】
下りフレーム処理部１０４は、ＯＳＷ２へ送信されるフレームを生成する。上りフレーム処理部１０５は、ＯＳＷ２から受信したフレームを処理する。プロトコル制御部１０６は、ＯＬＴ１とＯＳＷ２と、及びＯＬＴ１とＯＮＵ３−１〜３−ｎとの間でやり取りされる制御プロトコルを処理する。
【００４９】
ゲートウェイインタフェース１１０は、ゲートウェイ（ＧＷ）５３との間において信号を送受信するインタフェースである。
【００５０】
図６は、本発明の第１の実施形態のＥＰＯＮのフレーム６０のフォーマットを示す説明図である。
【００５１】
ＥＰＯＮのフレーム６０は、プリアンブル６１０、宛先ＭＡＣアドレス（ＤＡ）６２０、送信元ＭＡＣアドレス（ＳＡ）６３０、フレーム種別又はフレーム長を示すＴｙｐｅ／Ｌｅｎｇｔｈフィールド６４０、ペイロード６５０、及びフレームチェックシーケンス（ＦＣＳ）６６０の各フィールドを含む。
【００５２】
プリアンブル６１０は、予約フィールド６１１及び６１３、ＳＬＤ（Ｓｔａｒｔ  ｏｆ  ＬＬＩＤ  Ｄｅｌｉｍｉｔｅｒ）６１２、論理識別子（ＬＬＩＤ）６１４、及び符号誤りチェックを行うＣＲＣ（Ｃｙｃｌｉｃ  Ｒｅｄｕｎｄａｎｃｙ  Ｃｈｅｃｋ）６１５の各フィールドを含む。
【００５３】
ＳＬＤ６１２は、プリアンブル領域に論理識別子（Ｌｏｇｉｃａｌ  Ｌｉｎｋ  Ｉｄｅｎｔｉｆｉｅｒ、ＬＬＩＤ）が記載されていることを示すフィールドである。ＬＬＩＤ６１４は、ＯＬＴ１がＯＮＵ３、又はＯＳＷ２に割り当てる論理的な識別子である。
【００５４】
本実施形態の光アクセスシステムにおいて、ＯＬＴ１とＯＳＷ２との間、又はＯＬＴ１とＯＮＵ３との間で送受信される制御フレームのフォーマットとして、非特許文献１に規定されるＭＰＣＰＤＵ（Ｍｕｌｔｉｐｏｉｎｔ  Ｃｏｎｔｒｏｌ  Ｐｒｏｔｏｃｏｌ  Ｄａｔａ  Ｕｎｉｔ）と同等のフォーマットを用いることが可能である。
【００５５】
図７は、本発明の第１の実施形態のＭＰＣＰＤＵ６５のフォーマットを示す説明図である。
【００５６】
ＭＰＣＰＤＵ６５は、図６に示すＥＰＯＮのフレーム６０のＤＡ６２０、ＳＡ６３０、Ｔｙｐｅ／Ｌｅｎｇｔｈフィールド６４０、ペイロード６５０、及びＦＣＳ６６０を含む。特にペイロード６５０には、命令コード６５１、タイムスタンプ６５２、及びデータ６５３が含まれる。
【００５７】
図８は、本発明の第１の実施形態の光スイッチ切替制御フレームのフォーマットを示す説明図である。
【００５８】
図８には、図６に示すＥＰＯＮのフレーム６０のペイロード６５０部分のみを示す。図８に示す光スイッチ切替制御フレームのフォーマットは、ＯＬＴ１が、ＯＳＷ２に設ける下り光スイッチエレメント２１１、または、上り光スイッチエレメント２１２、または、下り分岐用光スイッチ２１８、または、上り分岐用光スイッチ２１９の切替制御を行うために、ＯＳＷ２に対して送信するメッセージのフォーマットである。ＯＬＴ１がＯＳＷ２又はＯＮＵ３を初期登録する際には、ＯＬＴ１がＯＳＷ２又はＯＮＵ３に送信するメッセージが、適切な宛先に到達するようにするため、ＯＬＴ１は、光スイッチ切替制御フレームを用いて、ＯＳＷ２に設ける下り光スイッチエレメント１１１、または、下り分岐用光スイッチ２１８を切り替える。。また、ＯＬＴ１がＯＳＷ２又はＯＮＵ３を初期登録する際には、ＯＳＷ２又はＯＮＵ３に送信するメッセージが、ＯＬＴ１に到達するようにするため、ＯＬＴ１は、光スイッチ切替制御フレームを用いて、ＯＳＷ２に設ける上り光スイッチエレメント２１２、または、上り分岐用光スイッチ２１９を切り替える。
【００５９】
光スイッチ切替制御フレームにおいて、命令コード６５１には、光スイッチエレメントの切り替えを示す値が設定される。さらに、タイムスタンプ６５２に続いて、データ６５３には、上り光スイッチエレメント２１２、又は下り光スイッチエレメント２１１のいずれを制御するフレームであるかを示す制御対象６５３１、光スイッチ切替制御フレームに設定されている光スイッチ切替スケジュールの切替設定数６５３２、光スイッチエレメントの切替時刻ｔと光スイッチエレメントのポート番号Ｐｏｒｔ＃との対応付け６５３３（６５３３−１〜６５３３−ｎ）が設定される。
【００６０】
図９は、本発明の第１の実施形態のＲｅｇｉｓｔｅｒ  Ｒｅｑｕｅｓｔメッセージ７５のフォーマットを示す説明図である。
【００６１】
図９に示すＲｅｇｉｓｔｅｒ  Ｒｅｑｕｅｓｔメッセージ７５のフォーマットは、ＯＬＴ１がＯＳＷ２を初期登録する際、ＯＳＷ２がＯＬＴ１に送信するメッセージの一つである。
【００６２】
Ｒｅｇｉｓｔｅｒ  Ｒｅｑｕｅｓｔメッセージ７５において、命令コード７５１には、このメッセージがＲｅｇｉｓｔｅｒ  Ｒｅｑｕｅｓｔメッセージ７５であることを示す値が設定される。さらに、Ｒｅｇｉｓｔｅｒ  Ｒｅｑｕｅｓｔメッセージ７５には、タイムスタンプ７５２、フラグ７５３、ディスカバリ情報７５４、ペンディンググラント７５５、レーザオンタイム７５６、及びレーザオフタイム７５７が設定される。
【００６３】
Ｒｅｇｉｓｔｅｒ  Ｒｅｑｕｅｓｔメッセージ７５には、レーザオフタイム７５７に続いて、ＯＳＷ２がＯＬＴ１から受信した光スイッチ切替制御フレームを処理するために要する時間（Ｔｃ）７５８、ＯＳＷ２における光スイッチエレメントが持つ出力ポートの接続先を切り替えるための時間（Ｔｓ）７５９、ＯＳＷ２の光スイッチエレメントが持つスイッチポート数７６０が設定される。スイッチポート数７６０に続いて、パディングフィールド７６１が設けられ、最後にフレームチェックシーケンス（ＦＣＳ）７６２が設定される。
【００６４】
図１０は、本発明の第１の実施形態の光スイッチエレメントのスイッチポート番号１０６１１とＬＬＩＤ１０６１２との対応関係が設定されたテーブル１０６１を示す説明図である。
【００６５】
図１０は、本発明の第１の実施形態のＯＬＴ１に含まれる、下り光スイッチエレメント２１１の出力ポート２１１２−１〜２１１２−ｎ、又は上り光スイッチエレメント２１２の入力ポート２１２２−１〜２１２２−ｎと、ＯＮＵ３−１〜３−ｎにＯＬＴ１によって割り当てられたＬＬＩＤ、及びＯＬＴ１とＯＮＵ３との間で信号が往復するのに要する時間であるラウンドトリップタイム（ＲＴＴ）、又はＯＬＴ１とＯＳＷ２との間のラウンドトリップタイムＲＴＴとの対応関係が示されたテーブル１０６１である。
【００６６】
テーブル１０６１は、スイッチポート番号１０６１１と、ＬＬＩＤ１０６１２と、ラウンドトリップタイムＲＴＴ１０６１３とを含む。スイッチポート番号１０６１１は、下り光スイッチエレメント２１１の出力ポート２１１２、又は上り光スイッチエレメント２１２の入力ポート２１２２を識別する番号である。ＬＬＩＤ１０６１２は、スイッチポート番号１０６１１が示すスイッチポートに接続されるＯＮＵ３に、ＯＬＴ１によって割り当てられたＬＬＩＤの番号である。ラウンドトリップタイムＲＴＴ１０６１３は、ＯＬＴ１とＯＮＵ３との間で信号が往復するのに要する時間である。また、ＲＴＴ１０６１３は、ＯＬＴ１とＯＳＷ２との間で信号が往復するのに要する時間であってもよい。
【００６７】
テーブル１０６１は、スイッチポート番号１０６１１と、ＬＬＩＤ１０６１２と、ラウンドトリップタイムＲＴＴ１０６１３とをエントリー１０６１４（１０６１４−１〜１０６１４−ｎ、ここで、ｎはＯＳＷ２の下り光スイッチエレメント２１１の出力ポート数、又は上り光スイッチエレメント２１２の入力ポート数、又は光スイッチエレメントのすべてのスイッチポート数をあわせた数と同じ値）ごとに示す。
【００６８】
さらに、テーブル１０６１には、ＯＳＷ２のスイッチ制御回路２１５を示すポートのエントリー１０６１４−０が設けられてもよい。ここで、ＯＳＷ２のスイッチ制御回路２１５を示すポートとは、図４Ａによって示す、下り分岐用光スイッチ２１８の出力ポート２１８２−２、又は図４Ｂによって示す、上り分岐用光スイッチ２１９の入力ポート２１９２−１である。
【００６９】
テーブル１０６１のエントリー１０６１４によって、スイッチポート１０６１１、ＬＬＩＤ１０６１２、及びＲＴＴ１０６１３は、対応付けられる。
【００７０】
ＯＬＴ１は、テーブル１０６１を、プロトコル制御部１０６に含む。
【００７１】
図１１を用いて、本発明の第１の実施形態によるＯＳＷ２の初期登録の手順を説明する。
【００７２】
図１１は、本発明の第１の実施形態のＯＳＷ２の初期登録の手順を示すシーケンス図である。
【００７３】
ＯＬＴ１は、光アクセスシステム５０の起動後、又はＯＳＷ２の起動後、ＯＳＷ２をＯＬＴ１に初期登録する。まず、ＯＬＴ１は、光スイッチ切替制御フレームＦＲ−Ｃ１ｄ、および、ＦＲ−Ｃ１ｕをＯＳＷ２に送信する。ここで、ＦＲ−Ｃ１ｄは、下り光スイッチエレメント２１１、および、下り分岐用光スイッチ２１８の切替制御用のフレームである。また、ＦＲ−Ｃ１ｕは、上り光スイッチエレメント２１２、および、上り分岐用光スイッチ２１９の切替制御用のフレームである。
【００７４】
光スイッチ切替制御フレームＦＲ−Ｃ１ｄ、ＦＲ−Ｃ１ｕは、図６に示すＥＰＯＮのフレーム６０であり、図８に示すペイロード６５０を含む。
【００７５】
ＯＳＷ２は、光スイッチ切替制御フレームＦＲ−Ｃ１ｄ、および、ＦＲ−Ｃ１ｕを受信すると、下り分岐用光スイッチ２１８の出力ポート２１８２−１、及び上り分岐用光スイッチ２１９の入力ポート２１９２−２を、各々、出力ポート２１８２−２、及び入力ポート２１９２−１に切り替えることによって、通信の経路をＯＳＷ２のスイッチ制御回路２１５に切り替える。これによって、ＯＳＷ２は、ＯＬＴ１が送信した光スイッチ切替制御フレームをスイッチ制御回路２１５において処理することが可能になり、ＯＬＴ１へ光スイッチ切替制御フレームを送信することが可能になる。
【００７６】
次に、ＯＬＴ１は、ＯＳＷ２を発見するための光スイッチ切替制御フレームであるＤｉｓｃｏｖｅｒｙ  ＧａｔｅメッセージＦＲ−ＤＧ１をＯＳＷ２に送信する。Ｄｉｓｃｏｖｅｒｙ  ＧａｔｅメッセージＦＲ−ＤＧ１は、図６に示すＥＰＯＮのフレーム６０であり、非特許文献１に示されるＥＰＯＮのＤｉｓｃｏｖｅｒｙ  Ｇａｔｅメッセージと同等のものである。
【００７７】
ＯＳＷ２は、Ｄｉｓｃｏｖｅｒｙ  ＧａｔｅメッセージＦＲ−ＤＧ１を受信すると、Ｄｉｓｃｏｖｅｒｙ  ＧａｔｅメッセージＦＲ−ＤＧ１への応答として、Ｒｅｇｉｓｔｅｒ  ＲｅｑｕｅｓｔメッセージＦＲ−ＲＲ１をＯＬＴ１に送信する。ＯＳＷ２は、Ｒｅｇｉｓｔｅｒ  ＲｅｑｕｅｓｔメッセージＦＲ−ＲＲ１を送信することによって、ＯＳＷ２を登録する要求をＯＬＴ１に通知する。Ｒｅｇｉｓｔｅｒ  ＲｅｑｕｅｓｔメッセージＦＲ−ＲＲ１は、図６に示すＥＰＯＮのフレーム６０であり、図９に示すＲｅｇｉｓｔｅｒ  Ｒｅｑｕｅｓｔメッセージ７５を含む。
【００７８】
ＯＳＷ２は、Ｒｅｇｉｓｔｅｒ  ＲｅｑｕｅｓｔメッセージＦＲ−ＲＲ１を送ることによって、ＯＬＴ１に、少なくとも、ＯＳＷ２がＯＬＴ１から受信した光スイッチ切替制御フレームを処理するために要する時間（Ｔｃ）７５８と、ＯＳＷ２における光スイッチエレメントが持つ出力ポート２１１２の接続先を切り替えるための時間（Ｔｓ）７５９と、ＯＳＷ２の光スイッチエレメントのスイッチポート数と、後述するＲｅｇｉｓｔｅｒ  ＲｅｑｕｅｓｔメッセージＦＲ−ＲＲ１を送信する時刻ｔ１とを通知する。
【００７９】
なお、ＯＳＷ２がＯＬＴ１から受信した光スイッチ切替制御フレームを処理するために要する時間（Ｔｃ）７５８と、ＯＳＷ２における光スイッチエレメントが持つ出力ポートの接続先を切り替えるための時間（Ｔｓ）７５９とは、ＯＳＷ２があらかじめ記憶している値である。
【００８０】
なお、非特許文献１に記載されるＥＰＯＮを用いたＯＮＵ３の初期登録手順は、Ｄｉｓｃｏｖｅｒｙ  Ｇａｔｅメッセージを受信したＯＮＵ３が、Ｄｉｓｃｏｖｅｒｙ  Ｇａｔｅメッセージが指定したフレームの送信時刻から、ランダム時間待機した後、Ｒｅｇｉｓｔｅｒ  Ｒｅｑｕｅｓｔメッセージを送信する手順である。一方、本発明の第１の実施形態におけるＯＳＷ２の初期登録手順は、ランダム時間待機することなく、ＯＳＷ２が、Ｄｉｓｃｏｖｅｒｙ  Ｇａｔｅメッセージが指定したフレーム送信時刻になると、Ｒｅｇｉｓｔｅｒ  ＲｅｑｕｅｓｔメッセージＦＲ−ＲＲ１をＯＬＴ１に送信する手順である。
【００８１】
ＯＬＴ１は、ＯＳＷ２からＲｅｇｉｓｔｅｒ  ＲｅｑｕｅｓｔメッセージＦＲ−ＲＲ１を受信すると、ＯＳＷ２を登録するため、ＲｅｇｉｓｔｅｒメッセージＦＲ−Ｒ１をＯＳＷ２に送信する。
【００８２】
ＲｅｇｉｓｔｅｒメッセージＦＲ−Ｒ１は、ＯＬＴ１によって割り当てられたＯＳＷ２を示すＬＬＩＤを含む。
【００８３】
さらにＯＬＴ１は、ＯＳＷ２がＯＬＴ１へＲｅｇｉｓｔｅｒ  ＡｃｋメッセージＦＲ−ＲＡ１を送信することを許可する時刻を指定するため、ＧａｔｅメッセージＦＲ−Ｇ１をＯＳＷ２に送信する。
【００８４】
ＯＳＷ２は、ＧａｔｅメッセージＦＲ−Ｇ１によって指定された時刻に、Ｒｅｇｉｓｔｅｒ  ＡｃｋメッセージＦＲ−ＲＡ１をＯＬＴ１に送信する。
【００８５】
前述の手順によって、ＯＬＴ１は、ＯＳＷ２の初期登録をする。
【００８６】
また、前述の手順によって、ＯＬＴ１は、ＯＬＴ１とＯＳＷ２の間のラウンドトリップタイムＲＴＴｓを測定する。
【００８７】
ＯＬＴ１は、ＯＳＷ２に送信するＤｉｓｃｏｖｅｒｙ  ＧａｔｅメッセージＦＲ−ＤＧ１に、ＯＬＴ１がＤｉｓｃｏｖｅｒｙ  ＧａｔｅメッセージＦＲ−ＤＧ１をＯＳＷ２に送信する時刻ｔ０を設定する。ＯＬＴ１は、Ｄｉｓｃｏｖｅｒｙ  ＧａｔｅメッセージＦＲ−ＤＧ１のうち、図８に示すＴｉｍｅｓｔａｍｐ６５２に送信時刻ｔ０を設定する。ＯＳＷ２は、ＯＬＴ１からＤｉｓｃｏｖｅｒｙ  ＧａｔｅメッセージＦＲ−ＤＧ１を受信すると、Ｄｉｓｃｏｖｅｒｙ  ＧａｔｅメッセージＦＲ−ＤＧ１を受信した時刻を、ＯＳＷ２自身のローカル時刻のｔ０と設定する。ＯＳＷ２は、ＯＬＴ１によるＤｉｓｃｏｖｅｒｙ  ＧａｔｅメッセージＦＲ−ＤＧ１の送信時刻ｔ０を、Ｄｉｓｃｏｖｅｒｙ  ＧａｔｅメッセージＦＲ−ＤＧ１を受信した時刻に設定することによって、ＯＬＴ１とＯＳＷ２との時刻を同期する。
【００８８】
ここで、ＯＬＴ１がＤｉｓｃｏｖｅｒｙ  ＧａｔｅメッセージＦＲ−ＤＧ１を送信してから、ＯＳＷ２がＤｉｓｃｏｖｅｒｙ  ＧａｔｅメッセージＦＲ−ＤＧ１を受信するまでの時間、すなわち、ＯＬＴ１がＯＳＷ２へ送信する信号の伝搬遅延時間を時間Ｔｄとする。
【００８９】
ＯＳＷ２は、ＯＬＴ１に送信するＲｅｇｉｓｔｅｒ  ＲｅｑｕｅｓｔメッセージＦＲ−ＲＲ１に、Ｒｅｇｉｓｔｅｒ  ＲｅｑｕｅｓｔメッセージＦＲ−ＲＲ１をＯＬＴ１に送信する時刻ｔ１を設定する。ＯＳＷ２は、Ｒｅｇｉｓｔｅｒ  ＲｅｑｕｅｓｔメッセージＦＲ−ＲＲ１のうち、図９に示すＴｉｍｅｓｔａｍｐ７５２に、時刻ｔ１を設定する。ここで、ＯＳＷ２がＤｉｓｃｏｖｅｒｙ  ＧａｔｅメッセージＦＲ−ＤＧ１をＯＬＴ１から受信してから、ＯＳＷ２がＲｅｇｉｓｔｅｒ  ＲｅｑｕｅｓｔメッセージＦＲ−ＲＲ１をＯＬＴ１に送信するまでの時間を時間Ｔｗとする。
【００９０】
ＯＬＴ１は、ＯＳＷ２からＲｅｇｉｓｔｅｒ  ＲｅｑｕｅｓｔメッセージＦＲ−ＲＲ１を時刻ｔ２において受信する。ここで、ＯＳＷ２がＲｅｇｉｓｔｅｒ  ＲｅｑｕｅｓｔメッセージＦＲ−ＲＲ１を送信してから、ＯＬＴ１がＲｅｇｉｓｔｅｒ  ＲｅｑｕｅｓｔメッセージＦＲ−ＲＲ１を受信するまでの時間、すなわち、ＯＳＷ２がＯＬＴ１へ送信する信号の伝搬遅延時間を時間Ｔｕとする。
【００９１】
前述によって、ラウンドトリップタイムＲＴＴｓは、ＲＴＴｓ＝Ｔｄ＋Ｔｕ＝（ｔ２−ｔ０）−Ｔｗ＝（ｔ２−ｔ０）−（ｔ１−ｔ０）＝ｔ２−ｔ１によって表すことができる。
【００９２】
ラウンドトリップタイムＲＴＴｓは、ＯＬＴ１とＯＳＷ２との間で信号が往復するのに要する時間である。
【００９３】
ＯＬＴ１は、Ｒｅｇｉｓｔｅｒ  ＲｅｑｕｅｓｔメッセージＦＲ−ＲＲ１に含まれた時刻ｔ１からラウンドトリップタイムＲＴＴｓを算出し、テーブル１０６１のＲＴＴ１０６１３（図１０参照）にラウンドトリップタイムＲＴＴｓを設定する。ラウンドトリップタイムＲＴＴｓは、テーブル１０６１のエントリー１０６１４−０に設定される。また、エントリー１０６１４−０のＬＬＩＤ１０６１２には、ＯＳＷ２に割り当てられたＬＬＩＤの値が設定される。
【００９４】
図１２は、本発明の第１の実施形態のＯＬＴ１におけるＯＳＷ２の初期登録の手順を示すフローチャートである。
【００９５】
最初に、ＯＬＴ１は、ＯＳＷ２が登録されていない状態であることを示すため、ＯＳＷ２登録フラグの値を０と設定する（ステップ１０００）。ＯＳＷ２登録フラグは、ＯＬＴ１のプロトコル制御部１０６に格納される。
【００９６】
次に、ＯＳＷ２の下り分岐用光スイッチ２１８の出力ポート２１８２−１、及び上り分岐用光スイッチ２１９の入力ポート２１９２−２を、ＯＳＷ２の初期登録処理を行っている期間中、ＯＳＷ２のスイッチ制御回路２１５に切り替えるため、光スイッチ切替制御フレームＦＲ−Ｃ１ｄ、および、ＦＲ−Ｃ１ｕをＯＳＷ２に送信する（ステップ１０１０）。続いて、ＯＬＴ１はＤｉｓｃｏｖｅｒｙ  ＧａｔｅメッセージＦＲ−ＤＧ１をＯＳＷ２に送信する（ステップ１０２０）。
【００９７】
ＯＬＴ１は、ステップ１０２０において送信したＤｉｓｃｏｖｅｒｙ  ＧａｔｅメッセージＦＲ−ＤＧ１に対する応答であるＲｅｇｉｓｔｅｒ  ＲｅｑｕｅｓｔメッセージＦＲ−ＲＲ１を所定の時間内に受信したか否かを判定する（ステップ１０３０）。
【００９８】
Ｒｅｇｉｓｔｅｒ  ＲｅｑｕｅｓｔメッセージＦＲ−ＲＲ１を所定時間内に受信しない場合、ＯＬＴ１は、ＯＳＷ２が正常に起動していない、又は光スイッチ切替制御フレームＦＲ−Ｃ１ｄ、または、ＦＲ−Ｃ１ｕが正常にＯＳＷ２のスイッチ制御回路２１５に到達していないため、ステップ１０２０に戻り、再度光スイッチ切替制御フレームＦＲ−Ｃ１ｄ、および、ＦＲ−Ｃ１ｕをＯＳＷ２に送信する。
【００９９】
Ｒｅｇｉｓｔｅｒ  ＲｅｑｕｅｓｔメッセージＦＲ−ＲＲ１を所定の時間内に受信した場合、ＯＬＴ１におけるＯＳＷ２の初期登録は、ステップ１０４０に進む。
【０１００】
ＯＬＴ１は、ＯＳＷ２からＲｅｇｉｓｔｅｒ  ＲｅｑｕｅｓｔメッセージＦＲ−ＲＲ１を受信すると、Ｒｅｇｉｓｔｅｒ  ＲｅｑｕｅｓｔメッセージＦＲ−ＲＲ１に含まれる情報に基づいて、ＯＳＷ２のスイッチポート１０６１１と、ＯＮＵ３に割り当てるＬＬＩＤ１０６１２との対応関係を示すテーブル１０６１（図１０参照）のエントリー１０６１４を生成する（ステップ１０４０）。ここで、生成するテーブルのエントリー数ｎは、ステップ１０３０において受信したＲｅｇｉｓｔｅｒ  ＲｅｑｕｅｓｔメッセージＦＲ−ＲＲ１に含まれる、ＯＳＷ２の光スイッチエレメントのスイッチポート数と同じである。
【０１０１】
次に、ＯＬＴ１は、ＲｅｇｉｓｔｅｒメッセージＦＲ−Ｒ１をＯＳＷ２に送信する（ステップ１０５０）。続いて、ＯＬＴ１は、ＯＳＷ２がＯＬＴ１へＲｅｇｉｓｔｅｒ  ＡｃｋメッセージＦＲ−ＲＡ１の送信が許可される時刻を通知するため、ＧａｔｅメッセージＦＲ−Ｇ１をＯＳＷ２に送信する（ステップ１０６０）。
【０１０２】
ＯＬＴ１は、ステップ１０５０において送信したＲｅｇｉｓｔｅｒメッセージＦＲ−Ｒ１に対する応答であるＲｅｇｉｓｔｅｒ  ＡｃｋメッセージＦＲ−ＲＡ１を受信する（ステップ１０７０）。ＯＬＴ１は、ＯＳＷ２の初期登録が完了し、ＯＳＷ２が登録された状態であることを示すため、ＯＳＷ２登録フラグの値を１に変更する（ステップ１０８０）。
【０１０３】
図１３は、本発明の第１の実施形態のＯＳＷ２におけるＯＳＷ２の初期登録の手順を示すフローチャートである。
【０１０４】
ＯＳＷ２は、ＯＬＴ１から光スイッチ切替制御フレームＦＲ−Ｃ１ｄ、および、ＦＲ−Ｃ２ｕを受信すると（ステップ１２００）、ＯＳＷ２の下り分岐用光スイッチ２１８の出力ポート２１８２−１、及び上り分岐用光スイッチ２１９の入力ポート２１９２−２を、各々、出力ポート２１８２−２、及び入力ポート２１９２−１に切り替えることによって、通信の経路をＯＳＷ２のスイッチ制御回路２１５に切り替える。（ステップ１２１０）。
【０１０５】
続いて、ＯＳＷ２は、ＯＬＴ１からＤｉｓｃｏｖｅｒｙ  ＧａｔｅメッセージＦＲ−ＤＧ１を受信する（ステップ１２２０）。ＯＳＷ２は、ＯＬＴ１から送られたＤｉｓｃｏｖｅｒｙ  ＧａｔｅメッセージＦＲ−ＤＧ１の応答として、図９に示すＲｅｇｉｓｔｅｒ  ＲｅｑｕｅｓｔメッセージＦＲ−ＲＲ１をＯＬＴ１に送信する（ステップ１２３０）。
【０１０６】
ＯＳＷ２は、ＯＬＴ１からＲｅｇｉｓｔｅｒメッセージＦＲ−Ｒ１を受信し（ステップ１２４０）、続いて、ＧａｔｅメッセージＦＲ−Ｇ１を受信する（ステップ１２５０）。ＯＳＷ２は、ステップ１２５０において受信したＧａｔｅメッセージＦＲ−Ｇ１に示されたフレーム送信時刻に、Ｒｅｇｉｓｔｅｒ  ＡｃｋメッセージＦＲ−ＲＡ１をＯＬＴ１に送信する（ステップ１２６０）。
【０１０７】
図１４は、本発明の第１の実施形態のＯＮＵ３の初期登録の手順を示すシーケンス図である。
【０１０８】
ＯＬＴ１は、図１１に示した手順によって、ＯＳＷ２の初期登録が完了すると、ＯＮＵ３の初期登録をする。
【０１０９】
図１４に示す初期登録は、ＯＮＵ＃ｊ（３−ｊ）（ｊは１〜ｎのうち任意の値を示す）の初期登録の手順を示す。図１４に示す初期登録の手順によって、ＯＮＵ＃ｊ（３−ｊ）は、ＯＳＷ２における下り光スイッチエレメント２１１の出力ポート２１１２−ｊと、上り光スイッチエレメント２１２の入力ポート２１２２−ｊに割り当てられる。
【０１１０】
ＯＬＴ１は、スイッチポート１０６１１の番号とＬＬＩＤ１０６１２との対応関係を示すテーブル１０６１（図１０参照）を参照し、初期登録する対象のＯＮＵ＃ｊ（３−ｊ）に割り当てられるＯＳＷ２のスイッチポート１０６１１を選択する。選択されるスイッチポート１０６１１は、ＬＬＩＤ１０６１２、及びＲＴＴ１０６１３がＮＵＬＬであるエントリー１０６４である。図１４において、選択されたスイッチポート１０６１１は、出力ポート２１１２−ｊと、入力ポート２１２２−ｊとである。
【０１１１】
ＯＬＴ１は、選択した入力ポート２１２２−ｊ及び出力ポート２１１２−ｊの値を、光スイッチ切替制御フレームＦＲ−Ｃ２ｄ、および、ＦＲ−Ｃ２ｕの図８に示す対応付け６５３３における光スイッチエレメントのポート番号Ｐｏｒｔ＃に設定する。
【０１１２】
なお、設定される光スイッチエレメントの切替時刻ｔは、ＯＳＷ２の初期登録の際にＯＳＷ２からＯＬＴ１に送信された時間Ｔｃ、時間Ｔｓに基づいてＯＬＴ１によって算出される。
【０１１３】
ＯＬＴ１は、ＯＳＷ２の下り光スイッチエレメント２１１の出力ポート２１１２−ｊ、及び上り光スイッチエレメント２１２の入力ポート２１２２−ｊを、ＯＮＵ＃ｊ（３−ｊ）に切り替えるため、光スイッチ切替制御フレームＦＲ−Ｃ２ｄ、および、ＦＲ−Ｃ２ｕをＯＳＷ２に送信する。
【０１１４】
ＯＳＷ２では、光スイッチ切替制御フレームＦＲ−Ｃ２ｄ、および、ＦＲ−Ｃ２ｕは、スイッチ制御回路２１５に送られる。  スイッチ制御回路２１５は、光スイッチ切替制御フレームＦＲ−Ｃ２ｄ、および、ＦＲ−Ｃ２ｕを受信すると、光スイッチ切替制御フレームＦＲ−Ｃ２ｄ、および、ＦＲ−Ｃ２ｕに含まれる光スイッチエレメントの切替時刻ｔと光スイッチエレメントのポート番号Ｐｏｒｔ＃との対応付け６５３３に示されたスケジュールにしたがって、下り光スイッチエレメント２１１の出力ポートを、出力ポート２１１２−ｊに、また、上り光スイッチエレメント２１２の入力ポートを、入力ポート２１２２−ｊに切り替える。
【０１１５】
次にＯＬＴ１は、ＯＮＵ＃ｊ（３−ｊ）を発見するための制御フレームであるＤｉｓｃｏｖｅｒｙ  ＧａｔｅメッセージＦＲ−ＤＧ２をＯＮＵ＃ｊ（３−ｊ）に送信する。ここで、ＯＳＷ２の出力ポート２１１２−ｊは、スイッチ制御回路２１５によって指示されたスケジュールによって既にＯＮＵ＃ｊ（３−ｊ）に接続されている。従って、Ｄｉｓｃｏｖｅｒｙ  ＧａｔｅメッセージＦＲ−ＤＧ２は、光スイッチ切替制御フレームＦＲ−Ｃ２ｄによって切り替えられたＯＳＷ２の下り光スイッチエレメント２１１を通過する。
【０１１６】
ＯＮＵ＃ｊ（３−ｊ）は、ＯＳＷ２の下り光スイッチエレメント２１１の出力ポート２１１２−ｊと接続されており、Ｄｉｓｃｏｖｅｒｙ  ＧａｔｅメッセージＦＲ−ＤＧ２をＯＬＴ１から受信する。続いて、ＯＮＵ＃ｊ（３−ｊ）は、ＯＮＵ＃ｊ（３−ｊ）を登録する要求を、Ｒｅｇｉｓｔｅｒ  ＲｅｑｕｅｓｔメッセージＦＲ−ＲＲ２を送信することによってＯＬＴ１に通知する。ここで、ＯＳＷ２の入力ポート２１２２−ｊは、スイッチ制御回路２１５によって指示されたスケジュールによって既にＯＮＵ＃ｊ（３−ｊ）に接続されている。従って、Ｒｅｇｉｓｔｅｒ  ＲｅｑｕｅｓｔメッセージＦＲ−ＲＲ２は、ＯＳＷ２の上り光スイッチエレメント２１２を通過する。
【０１１７】
ＯＬＴ１は、Ｒｅｇｉｓｔｅｒ  ＲｅｑｕｅｓｔメッセージＦＲ−ＲＲ２を受信すると、ＯＮＵ＃ｊ（３−ｊ）を登録するため、ＲｅｇｉｓｔｅｒメッセージＦＲ−Ｒ２をＯＮＵ＃ｊ（３−ｊ）に送信する。
【０１１８】
ＲｅｇｉｓｔｅｒメッセージＦＲ−Ｒ２は、ＯＬＴ１によって割り当てられたＯＮＵ＃ｊ（３−ｊ）を示すＬＬＩＤを含む。
【０１１９】
ＯＬＴ１は、ＲｅｇｉｓｔｅｒメッセージＦＲ−Ｒ２を送信すると、テーブル１０６１（図１０参照）の、光スイッチ切替制御フレームＦＲ−Ｃ２ｄ、および、ＦＲ−Ｃ２ｕの送信時に選択したスイッチポート０１６１１に対応するＬＬＩＤ１０６１２に、ＯＮＵ＃ｊ（３−ｊ）を示すＬＬＩＤを設定する。
【０１２０】
さらにＯＬＴ１は、ＯＮＵ＃ｊ（３−ｊ）がＯＬＴ１へＲｅｇｉｓｔｅｒ  ＡｃｋメッセージＦＲ−ＲＡ２を送信することを許可する時刻を指定するため、ＧａｔｅメッセージＦＲ−Ｇ２をＯＮＵ＃ｊ（３−ｊ）に送信する。
【０１２１】
ＯＮＵ＃ｊ（３−ｊ）は、ＧａｔｅメッセージＦＲ−Ｇ２を受信すると、ＧａｔｅメッセージＦＲ−Ｇ２によって指定された時刻に、Ｒｅｇｉｓｔｅｒ  ＡｃｋメッセージＦＲ−ＲＡ２をＯＬＴ１に送信する。
【０１２２】
前述によって、ＯＮＵ＃ｊ（３−ｊ）の初期登録は終了するが、初期登録をするべきＯＮＵ＃ｋ（３−ｋ）が存在する場合、ＯＮＵ＃ｊ（３−ｊ）の初期登録の手順をＯＮＵ＃ｋ（３−ｋ）に対して繰り返す。
【０１２３】
また、このＯＮＵ＃ｊ（３−ｊ）の初期登録によって、ＯＬＴ１は、ＯＬＴ１とＯＮＵ＃ｊ（３−ｊ）の間のラウンドトリップタイムＲＴＴｊを測定する。
【０１２４】
ＯＬＴ１は、ＯＮＵ＃ｊ（３−ｊ）に送信するＤｉｓｃｏｖｅｒｙ  ＧａｔｅメッセージＦＲ−ＤＧ２に、ＯＬＴ１がＤｉｓｃｏｖｅｒｙ  ＧａｔｅメッセージＦＲ−ＤＧ２をＯＮＵ＃ｊ（３−ｊ）に送信する時刻ｔ０を設定する。ＯＮＵ＃ｊ（３−ｊ）は、ＯＬＴ１からＤｉｓｃｏｖｅｒｙ  ＧａｔｅメッセージＦＲ−ＤＧ２を受信すると、Ｄｉｓｃｏｖｅｒｙ  ＧａｔｅメッセージＦＲ−ＤＧ２を受信した時刻を、ＯＮＵ＃ｊ（３−ｊ）自身のローカル時刻のｔ０と設定する。ＯＮＵ＃ｊ（３−ｊ）は、ＯＬＴ１によるＤｉｓｃｏｖｅｒｙ  ＧａｔｅメッセージＦＲ−ＤＧ２の送信時刻ｔ０を、Ｄｉｓｃｏｖｅｒｙ  ＧａｔｅメッセージＦＲ−ＤＧ２の受信時刻と設定することによって、ＯＬＴ１とＯＮＵ＃ｊ（３−ｊ）との時刻を同期する。
【０１２５】
ここで、ＯＬＴ１がＤｉｓｃｏｖｅｒｙ  ＧａｔｅメッセージＦＲ−ＤＧ２を送信してから、ＯＮＵ＃ｊ（３−ｊ）がＤｉｓｃｏｖｅｒｙ  ＧａｔｅメッセージＦＲ−ＤＧ２を受信するまでの時間、すなわち、ＯＬＴ１がＯＮＵ＃ｊ（３−ｊ）へ送信する信号の伝搬遅延時間をＴｄとする。
【０１２６】
ＯＮＵ＃ｊ（３−ｊ）は、ＯＬＴ１に送信するＲｅｇｉｓｔｅｒ  ＲｅｑｕｅｓｔメッセージＦＲ−ＲＲ２に、このＲｅｇｉｓｔｅｒ  ＲｅｑｕｅｓｔメッセージＦＲ−ＲＲ２をＯＬＴ１に送信する時刻ｔ１を設定する。ここで、ＯＮＵ＃ｊ（３−ｊ）がＤｉｓｃｏｖｅｒｙ  ＧａｔｅメッセージＦＲ−ＤＧ２をＯＬＴ１から受信してから、ＯＮＵ＃ｊ（３−ｊ）がＲｅｇｉｓｔｅｒ  ＲｅｑｕｅｓｔメッセージＦＲ−ＲＲ２をＯＬＴ１に送信するまでの時間をＴｗとする。
【０１２７】
ＯＬＴ１は、ＯＮＵ＃ｊ（３−ｊ）からＲｅｇｉｓｔｅｒ  ＲｅｑｕｅｓｔメッセージＦＲ−ＲＲ２を時刻ｔ２において受信する。ここで、ＯＮＵ＃ｊ（３−ｊ）がＲｅｇｉｓｔｅｒ  ＲｅｑｕｅｓｔメッセージＦＲ−ＲＲ２を送信してから、ＯＬＴ１がＲｅｇｉｓｔｅｒ  ＲｅｑｕｅｓｔメッセージＦＲ−ＲＲ２を受信するまでの時間、すなわち、ＯＮＵ＃ｊ（３−ｊ）がＯＬＴ１へ送信する信号の伝搬遅延時間をＴｕとする。
【０１２８】
前述によって、ラウンドトリップタイムＲＴＴｊは、ＲＴＴｊ＝Ｔｄ＋Ｔｕ＝（ｔ２−ｔ０）−Ｔｗ＝（ｔ２−ｔ０）−（ｔ１−ｔ０）＝ｔ２−ｔ１によって表すことができる。
【０１２９】
ＯＬＴ１は、Ｒｅｇｉｓｔｅｒ  ＲｅｑｕｅｓｔメッセージＦＲ−ＲＲ１に含まれた時刻ｔ１からラウンドトリップタイムＲＴＴｊを算出し、テーブル１０６１のＲＴＴ１０６１３（図１０参照）に設定する。
【０１３０】
また、ＯＬＴ１とＯＳＷ２との間のラウンドトリップタイムＲＴＴｓ、及びＯＬＴ１とＯＮＵ＃ｊ（３−ｊ）との間のラウンドトリップタイムＲＴＴｊを用いることによって、ＯＬＴ１は、ＯＳＷ２とＯＮＵ＃ｊ（３−ｊ）との間のラウンドトリップタイムＲＴＴｓｊを、ＲＴＴｓｊ＝ＲＴＴｊ−ＲＴＴｓとして、算出する。
【０１３１】
ラウンドトリップタイムＲＴＴｊは、ＯＬＴ１とＯＮＵ＃ｊ（３−ｊ）との間で信号が往復するのに要する時間である。また、ラウンドトリップタイムＲＴＴｓｊは、ＯＳＷ２とＯＮＵ＃ｊ（３−ｊ）との間で信号が往復するのに要する時間である。ラウンドトリップタイムＲＴＴｓｊを算出することによって、ＯＮＵ３からＯＬＴ１へデータフレームを送信する際に、上りスイッチエレメント２１２の入力ポート２１２２をＯＮＵ３に接続するタイミングをスケジュールすることが可能となる。
【０１３２】
図１５は、本発明の第１の実施形態のＯＮＵ３の初期登録の手順を示すフローチャートである。
【０１３３】
ＯＬＴ１は、ＯＳＷ２の初期登録が完了しているか否かを、ＯＳＷ登録フラグに基づいて判定する（ステップ１４１０）。
【０１３４】
ＯＳＷ登録フラグが０であり、ＯＳＷ２の初期登録が完了していない場合、ＯＬＴ１は、図１２のフローチャートに示すＯＳＷ２の初期登録をする（ステップ１５００）。
【０１３５】
ＯＳＷ登録フラグが１であり、ＯＳＷ２の初期登録が完了している場合、ＯＬＴ１は、ＯＮＵ＃ｊ（３−ｊ）を初期登録するためにＯＮＵ＃ｊ（３−ｊ）と接続されるＯＳＷ２のスイッチポートを、スイッチポート１０６１１とＬＬＩＤ１０６１２との対応関係を示すテーブル１０６１（図１０参照）を参照し、制御フレームを送信する対象となるＯＳＷ２のスイッチポート１０６１１を選択する（ステップ１４２０）。ＯＬＴ１は、ステップ１４２０において、テーブル１０６１のＬＬＩＤ１０６１２がＮＵＬＬであるエントリー１０６１４の、スイッチポート１０６１１を選択する。これによって、ＬＬＩＤ１０６１２がＮＵＬＬであるスイッチポート１０６１１に、新たに接続されたＯＮＵ３の初期登録の処理を開始する。
【０１３６】
図１５においては、ＯＬＴ１が初期登録する対象となるＯＮＵ＃ｊ（３−ｊ）に接続されるＯＳＷ２における下り光スイッチエレメント２１１の出力ポート２１１２−ｊと、上り光スイッチエレメント２１２の入力ポート２１２２−ｊが選択される。
【０１３７】
ＯＬＴ１は、ＯＳＷ２における光スイッチエレメントのスイッチポートを切り替えるよう、光スイッチ切替制御フレームＦＲ−Ｃ２ｄ、および、ＦＲ−Ｃ２ｕをＯＳＷ２に送信する（ステップ１４３０）。続いて、ＯＬＴ１は、Ｄｉｓｃｏｖｅｒｙ  ＧａｔｅメッセージＦＲ−ＤＧ２をＯＮＵ＃ｊ（３−ｊ）に送信する（ステップ１４４０）。
【０１３８】
ＯＬＴ１は、所定の時間内に、ステップ１４４０において送信したＤｉｓｃｏｖｅｒｙ  ＧａｔｅメッセージＦＲ−ＤＧ２に対する応答であるＲｅｇｉｓｔｅｒ  ＲｅｑｕｅｓｔメッセージＦＲ−ＲＲ２を受信したか否かを判定する（ステップ１４５０）。
【０１３９】
ステップ１４５０において、Ｒｅｇｉｓｔｅｒ  ＲｅｑｕｅｓｔメッセージＦＲ−ＲＲ２を受信しない場合、ＯＮＵ＃ｊ（３−ｊ）にＤｉｓｃｏｖｅｒｙ  ＧａｔｅメッセージＦＲ−ＤＧ２が正常に到達していないため、ＯＮＵ＃ｊ（３−ｊ）の初期登録を終了する。
【０１４０】
ＯＬＴ１は、Ｒｅｇｉｓｔｅｒ  ＲｅｑｕｅｓｔメッセージＦＲ−ＲＲ２をＯＮＵ＃ｊ（３−ｊ）から受信すると、Ｒｅｇｉｓｔｅｒ  ＲｅｑｕｅｓｔメッセージＦＲ−ＲＲ２を送信したＯＮＵ＃ｊ（３−ｊ）に対して割り当てるＬＬＩＤを決定し、ＯＳＷ２のスイッチポート１０６１１の番号とＬＬＩＤ１０６１２との対応関係を示すテーブル１０６１（図１０参照）に、決定したＬＬＩＤの値を設定する（ステップ１４６０）。
【０１４１】
次に、ＯＬＴ１は、ステップ１４６０において決定したＬＬＩＤの値を、ＲｅｇｉｓｔｅｒメッセージＦＲ−Ｒ２に設定し、ＲｅｇｉｓｔｅｒメッセージＦＲ−Ｒ２をＯＮＵ＃ｊ（３−ｊ）に送信する。続いて、ＧａｔｅメッセージＦＲ−Ｇ２を送信する。
【０１４２】
ＯＬＴ１は、ＲｅｇｉｓｔｅｒメッセージＦＲ−Ｒ２に対応するＲｅｇｉｓｔｅｒ  ＡｃｋメッセージＦＲ−ＲＡ２を受信すると（ステップ１４９０）、ＯＮＵ３の初期登録を終了する。
【０１４３】
図１６は、本発明の第２の実施形態のＯＳＷ２の初期登録のＯＬＴ１とＯＳＷ２との間の処理を示すシーケンス図である。
【０１４４】
図１１のシーケンス図に示す第１の実施形態においては、ＯＬＴ１は、ＯＬＴ１自身が光スイッチ切替制御フレームＦＲ−Ｃ２ｄ、ＦＲ−Ｃ２ｕ、及びＤｉｓｃｏｖｅｒｙ  ＧａｔｅメッセージＦＲ−ＤＧ２を送信することによって、ＯＳＷ２の初期登録を開始する。
【０１４５】
一方、図１６のシーケンス図に示す第２の実施形態においては、最初にＯＳＷ２が、ＯＳＷ２自身が起動した際に、ＯＬＴ１にＲｅｇｉｓｔｅｒ  ＲｅｑｕｅｓｔメッセージＦＲ−ＲＲ０を送信することによって、ＯＳＷ２の初期登録が開始される。
【０１４６】
なお、ＯＳＷ２は、Ｒｅｇｉｓｔｅｒ  ＲｅｑｕｅｓｔメッセージＦＲ−ＲＲ０を送信する前に、あらかじめ、下り分岐用光スイッチ２１８の出力ポート２１８２−１、及び上り分岐用光スイッチ２１９の入力ポート２１９２−２を、各々、出力ポート２１８２−２、及び入力ポート２１９２−１に切り替えることによって、通信の経路をＯＳＷ２のスイッチ制御回路２１５に切り替えておく。
【０１４７】
ＯＬＴ１は、ＯＳＷ２が送信したＲｅｇｉｓｔｅｒ  ＲｅｑｕｅｓｔメッセージＦＲ−ＲＲ０を受信すると、ＯＳＷ２を発見するため、Ｄｉｓｃｏｖｅｒｙ  ＧａｔｅメッセージＦＲ−ＤＧ３をＯＳＷ２に送信する。続いて、ＯＳＷ２は、Ｒｅｇｉｓｔｅｒ  ＲｅｑｕｅｓｔメッセージＦＲ−ＲＲ３をＯＬＴ１に送信する。
【０１４８】
ＯＳＷ２は、第１の実施形態と同様に、Ｒｅｇｉｓｔｅｒ  ＲｅｑｕｅｓｔメッセージＦＲ−ＲＲ３を送ることによって、ＯＬＴ１に、ＯＳＷ２がＯＬＴ１から受信した光スイッチ切替制御フレームを処理するために要する時間（Ｔｃ）７５８と、ＯＳＷ２における光スイッチエレメントが持つ出力ポートの接続先を切り替えるための時間（Ｔｓ）７５９と、ＯＳＷ２の光スイッチエレメントのスイッチポート数とを通知する。
【０１４９】
以降における、ＲｅｇｉｓｔｅｒメッセージＦＲ−Ｒ３、ＧａｔｅメッセージＦＲ−Ｇ３、及びＲｅｇｉｓｔｅｒ  ＡｃｋメッセージＦＲ−ＲＡ３は、第１の実施形態におけるＲｅｇｉｓｔｅｒメッセージＦＲ−Ｒ１、ＧａｔｅメッセージＦＲ−Ｇ１、及びＲｅｇｉｓｔｅｒ  ＡｃｋメッセージＦＲ−ＲＡ１と同じである。
【０１５０】
ＯＬＴ１は、ＯＳＷ２から送られたＲｅｇｉｓｔｅｒ  ＲｅｑｕｅｓｔメッセージＦＲ−ＲＲ３をＯＬＴ１が受信することによって、ＯＳＷ２の初期登録を開始する。
【０１５１】
図１７は、本発明の第２の実施形態のＯＳＷ２におけるＯＳＷ２の初期登録の手順を示すフローチャートである。
【０１５２】
図１７は、図１６に示す手順のうち、ＯＳＷ２における処理をフローチャートによって示した図である。
【０１５３】
まず、ＯＳＷ２のスイッチ制御回路２１５は、ＯＳＷ２のスイッチポートをスイッチ制御回路２１５に向けて切り替える（ステップ１６１０）。
【０１５４】
次に、ＯＳＷ２は、Ｒｅｇｉｓｔｅｒ  ＲｅｑｕｅｓｔメッセージＦＲ−ＲＲ０をＯＬＴ１に送信する（ステップ１６２０）。ＯＳＷ２は、ＯＬＴ１からＤｉｓｃｏｖｅｒｙ  ＧａｔｅメッセージＦＲ−ＤＧ３を所定の時間内に受信するか否かを判定する（ステップ１６３０）。
【０１５５】
ステップ１６３０において、ＯＬＴ１からＤｉｓｃｏｖｅｒｙ  ＧａｔｅメッセージＦＲ−ＤＧ３を所定の時間内に受信しない場合は、ＯＳＷ２は、ステップ１６２０に戻り、Ｒｅｇｉｓｔｅｒ  ＲｅｑｕｅｓｔメッセージＦＲ−ＲＲ０を再度送信する。ステップ１６３０において、Ｄｉｓｃｏｖｅｒｙ  ＧａｔｅメッセージＦＲ−ＤＧ３を受信した場合、ＯＳＷ２は、Ｒｅｇｉｓｔｅｒ  ＲｅｑｕｅｓｔメッセージＦＲ−ＲＲ３を送信する（ステップ１６４０）。
【０１５６】
ＯＳＷ２は、ＯＬＴ１からＲｅｇｉｓｔｅｒメッセージＦＲ−Ｒ３を受信し（ステップ１６５０）、続いて、ＯＬＴ１からＧａｔｅメッセージＦＲ−Ｇ３を受信すると（ステップ１６６０）、Ｒｅｇｉｓｔｅｒ  ＡｃｋメッセージＦＲ−ＲＡ３を送信する（ステップ１６５０）。これによって、第２の実施形態のＯＳＷ２におけるＯＳＷ２の初期登録の手順を終了する。
【０１５７】
図１８は、本発明の第２の実施形態のＯＬＴ１におけるＯＳＷ２の初期登録の手順を示すフローチャートである。
【０１５８】
ＯＬＴ１は、光アクセスシステム５０の起動後、ＯＳＷ登録フラグの値を０に設定する（ステップ１８１０）。
【０１５９】
ＯＬＴ１は、ＯＳＷ２からＲｅｇｉｓｔｅｒ  ＲｅｑｕｅｓｔメッセージＦＲ−ＲＲ０を受信するまで待機する（ステップ１８２０）。
【０１６０】
ＯＬＴ１は、ＯＳＷ２からＲｅｇｉｓｔｅｒ  ＲｅｑｕｅｓｔメッセージＦＲ−ＲＲ０を受信すると、Ｄｉｓｃｏｖｅｒｙ  ＧａｔｅメッセージＦＲ−ＤＧ３をＯＳＷ２に送信する（ステップ１８３０）。ＯＬＴ１は、ＯＳＷ２からＲｅｇｉｓｔｅｒ  ＲｅｑｕｅｓｔメッセージＦＲ−ＲＲ３を受信すると（ステップ１８４０）、ＲｅｇｉｓｔｅｒメッセージＦＲ−Ｒ３を送信し（ステップ１８５０）、続いて、ＧａｔｅメッセージＦＲ−Ｇ３を送信する（ステップ１８６０）。
【０１６１】
ＯＬＴ１は、ＯＳＷ２からＲｅｇｉｓｔｅｒ  ＡｃｋメッセージＦＲ−ＲＡ３を受信すると（ステップ１８７０）、ＯＳＷ登録フラグの値を０に設定する（ステップ１８８０）。これによって、ＯＬＴ１におけるＯＳＷ２の初期登録の手順を終了する。
【０１６２】
前述の通り、本発明の第１及び第２の実施形態によれば、光アクセスシステム５０の起動時に、ＯＳＷ２及びＯＮＵ３の初期登録をすることができる。また、光スイッチエレメントの切り替えスケジュールをＯＬＴ１から送信された情報に基づいて、ＯＳＷ２のスイッチ制御回路２１５が指定することによって、光ファイバによる遅延回路及び上り通信用のＯ／Ｅ変換器をＯＳＷ２に設けることなく、ＯＮＵ３への入出力ポートを切り替える装置を提供することが可能である。
【符号の説明】
【０１６３】
１  光回線装置（ＯＬＴ）
２  光通信路切替装置（ＯＳＷ）
３  光ネットワーク装置（ＯＮＵ）
４  端末
５０  光アクセスシステム
５３  ゲートウェイ
５５  コア網
２１０  合波・分波部
２１１  下り光スイッチエレメント
２１２  上り光スイッチエレメント
２１３  下りスイッチドライバ
２１４  上りスイッチドライバ
２１５  スイッチ制御回路
２１６  光−電気信号変換部（Ｏ／Ｅ変換器）
２１７  電気−光信号変換部（Ｅ／Ｏ変換器）
２１８  下り分岐用光スイッチ
２１９  上り分岐用光スイッチ
２２０  合波・分波部
【図１】
2010199969.tif 000003
【図２】
2010199969.tif 000004
【図３Ａ】
2010199969.tif 000005
【図３Ｂ】
2010199969.tif 000006
【図４Ａ】
2010199969.tif 000007
【図４Ｂ】
2010199969.tif 000008
【図５】
2010199969.tif 000009
【図６】
2010199969.tif 000010
【図７】
2010199969.tif 000011
【図８】
2010199969.tif 000012
【図９】
2010199969.tif 000013
【図１０】
2010199969.tif 000014
【図１１】
2010199969.tif 000015
【図１２】
2010199969.tif 000016
【図１３】
2010199969.tif 000017
【図１４】
2010199969.tif 000018
【図１５】
2010199969.tif 000019
【図１６】
2010199969.tif 000020
【図１７】
2010199969.tif 000021
【図１８】
2010199969.tif 000022